(57)【要約】【課題】拡大プレビュー画像が表示されるまでの応答時間を短縮する。【解決手段】本発明の情報処理システムは、画像処理装置と端末とを備える。プログラムは、コンピュータを、プレビュー画像の生成要求を画像処理装置に送信し、生成要求に応じて生成されたプレビュー画像を受信する通信制御部と、プレビュー画像を画面に表示させる画面制御部として機能させ、画像処理装置は、生成要求をコンピュータから受信し、生成要求に応じて生成されたプレビュー画像を、コンピュータに送信する通信制御部と、プレビュー画像を生成する画像生成部と、低解像度プレビュー画像の生成要求の場合は、低解像度プレビュー画像と、要求された低解像度プレビュー画像の解像度を増加させた高解像度プレビュー画像を画像生成部により生成し、低解像度プレビュー画像を、画像処理装置の通信制御部により、コンピュータに送信するシステム制御部とを備える。【選択図】図２
2014079906.tif 000002
【特許請求の範囲】
【請求項１】
プログラムと画像処理装置とを備える情報処理システムであって、
前記プログラムは、コンピュータを、
プレビュー画像の生成要求を前記画像処理装置に送信し、前記生成要求に応じて生成されたプレビュー画像を受信する第１通信制御部と、
前記第１通信制御部により受信された前記プレビュー画像を画面に表示させる画面制御部として機能させ、
前記画像処理装置は、
前記生成要求を前記コンピュータから受信し、前記生成要求に応じて生成されたプレビュー画像を、前記コンピュータに送信する第２通信制御部と、
前記生成要求に応じたプレビュー画像を生成する画像生成部と、
前記生成要求が、低解像度プレビュー画像の生成要求の場合は、低解像度プレビュー画像と、要求された前記低解像度プレビュー画像の解像度を増加させた高解像度プレビュー画像を前記画像生成部により生成し、前記低解像度プレビュー画像を、前記第２通信制御部により、前記コンピュータに送信するシステム制御部と
を備える情報処理システム。
【請求項２】
前記画像生成部は、
前記要求された低解像度プレビュー画像の生成が終了してから、前記高解像度プレビュー画像を生成する
請求項１に記載の情報処理システム。
【請求項３】
前記システム制御部は、
前記コンピュータから高解像度プレビュー画像の生成要求を受信した場合は、前記低解像度プレビュー画像の生成要求を受信したときに生成した前記高解像度プレビュー画像を、前記第２通信制御部により、前記コンピュータに送信する
請求項１又は２に記載の情報処理システム。
【請求項４】
前記高解像度プレビュー画像の解像度は、前記低解像度プレビュー画像に対応する画像の印刷時の解像度であり、
前記画像処理装置は、
前記画像の印刷時に、前記高解像度プレビュー画像を利用する
請求項１乃至３のいずれか１項に記載の情報処理システム。
【請求項５】
プレビュー画像の生成要求をコンピュータから受信し、前記生成要求に応じて生成されたプレビュー画像を、前記コンピュータに送信する通信制御部と、
前記生成要求に応じたプレビュー画像を生成する画像生成部と、
前記生成要求が、低解像度プレビュー画像の生成要求の場合は、低解像度プレビュー画像と、要求された前記低解像度プレビュー画像の解像度を増加させた高解像度プレビュー画像を前記画像生成部により生成し、前記低解像度プレビュー画像を、前記通信制御部により、前記コンピュータに送信するシステム制御部と
を備える画像処理装置。
【請求項６】
画像処理装置を、
プレビュー画像の生成要求をコンピュータから受信し、前記生成要求に応じて生成されたプレビュー画像を、前記コンピュータに送信する通信制御部と、
前記生成要求に応じたプレビュー画像を生成する画像生成部と、
前記生成要求が、低解像度プレビュー画像の生成要求の場合は、低解像度プレビュー画像と、要求された前記低解像度プレビュー画像の解像度を増加させた高解像度プレビュー画像を前記画像生成部により生成し、前記低解像度プレビュー画像を、前記通信制御部により、前記コンピュータに送信するシステム制御部と
して機能させるためのプログラム。
【発明の詳細な説明】
【技術分野】
【０００１】
本発明は、情報処理システム、画像処理装置及びプログラムに関する。
【背景技術】
【０００２】
ＭＦＰ（Ｍｕｌｔｉ  Ｆｕｎｃｔｉｏｎ  Ｐｒｉｎｔｅｒ）等の画像処理装置のユーザが、印刷対象画像等を選択する際に、複数の縮小されたプレビュー画像（以下「縮小プレビュー画像」という。）を表示するプレビュー機能が知られている。一般に、一の画面に複数表示される縮小プレビュー画像は、画像面積が小さい。一方、縮小プレビュー画像を、拡大したプレビュー画像（以下「拡大プレビュー画像」という。）は、縮小プレビュー画像に比べて、画像面積が大きい。そのため、縮小プレビュー画像は、低解像度の画像でもよいが、拡大プレビュー画像には、高解像度の画像が必要となる。
【０００３】
プレビュー機能に関する技術としては、特許文献１が知られている。特許文献１には、印刷用解像度に応じたプリンタ情報に基づく印刷データのスプールを利用して、プレビューを行う情報処理装置が開示されている。
【発明の概要】
【発明が解決しようとする課題】
【０００４】
しかしながら、従来のプレビュー機能は、縮小プレビュー画像の表示中に、拡大されるプレビュー画像が選択されてから、当該拡大プレビュー画像が表示されるまでの応答時間が長いという課題があった。
【０００５】
本発明は、上記に鑑みてなされたものであって、拡大プレビュー画像が表示されるまでの応答時間を短縮できる情報処理システム、画像処理装置及びプログラムを提供することを目的とする。
【課題を解決するための手段】
【０００６】
上述した課題を解決し、目的を達成するために、本発明の情報処理システムは、プログラムと画像処理装置とを備える。前記プログラムは、コンピュータを、プレビュー画像の生成要求を前記画像処理装置に送信し、前記生成要求に応じて生成されたプレビュー画像を受信する第１通信制御部と、前記第１通信制御部により受信された前記プレビュー画像を画面に表示させる画面制御部として機能させ、前記画像処理装置は、前記生成要求を前記コンピュータから受信し、前記生成要求に応じて生成されたプレビュー画像を、前記コンピュータに送信する第２通信制御部と、前記生成要求に応じたプレビュー画像を生成する画像生成部と、前記生成要求が、低解像度プレビュー画像の生成要求の場合は、低解像度プレビュー画像と、要求された前記低解像度プレビュー画像の解像度を増加させた高解像度プレビュー画像を前記画像生成部により生成し、前記低解像度プレビュー画像を、前記第２通信制御部により、前記コンピュータに送信するシステム制御部とを備える。
【０００７】
また、本発明の画像処理装置は、プレビュー画像の生成要求をコンピュータから受信し、前記生成要求に応じて生成されたプレビュー画像を、前記コンピュータに送信する通信制御部と、前記生成要求に応じたプレビュー画像を生成する画像生成部と、前記生成要求が、低解像度プレビュー画像の生成要求の場合は、低解像度プレビュー画像と、要求された前記低解像度プレビュー画像の解像度を増加させた高解像度プレビュー画像を前記画像生成部により生成し、前記低解像度プレビュー画像を、前記通信制御部により、前記コンピュータに送信するシステム制御部とを備える。
【０００８】
また、本発明のプログラムは、画像処理装置を、プレビュー画像の生成要求をコンピュータから受信し、前記生成要求に応じて生成されたプレビュー画像を、前記コンピュータに送信する通信制御部と、前記生成要求に応じたプレビュー画像を生成する画像生成部と、前記生成要求が、低解像度プレビュー画像の生成要求の場合は、低解像度プレビュー画像と、要求された前記低解像度プレビュー画像の解像度を増加させた高解像度プレビュー画像を前記画像生成部により生成し、前記低解像度プレビュー画像を、前記通信制御部により、前記コンピュータに送信するシステム制御部として機能させる。
【発明の効果】
【０００９】
本発明によれば、拡大プレビュー画像が表示されるまでの応答時間を短縮できるという効果を奏する。
【図面の簡単な説明】
【００１０】
【図１】図１は、本実施の形態の画像処理装置の主要部のハードウェア構成の一例を示す図である。
【図２】図２は、本実施の形態の画像処理装置のコントローラの機能ブロックの一例を示すブロック図である。
【図３】図３は、本実施の形態の情報処理システムの構成の一例を示す図である。
【図４】図４は、本実施の形態の画像処理装置により作成されたプレビュー画像を表示する端末の構成の一例を示す図である。
【図５】図５は、本実施の形態の画像処理装置が、低解像度のプレビュー画像を端末に表示させた場合の一例を示す図である。
【図６】図６は、本実施の形態の画像処理装置が、高解像度のプレビュー画像を端末に表示させた場合の一例を示す図である。
【図７】図７は、本実施の形態の画像処理装置がプレビュー画像を端末に表示させる際のシーケンスの一例を示すシーケンス図である。
【図８】図８は、本実施の形態の画像処理装置のプレビュー画像表示方法、及び画像印刷方法の一例を説明するためのフローチャートである。
【発明を実施するための形態】
【００１１】
以下に添付図面を参照して、情報処理システム、画像処理装置、及びプログラムの実施の形態を詳細に説明する。
【００１２】
まず、本実施の形態の画像処理装置１の主要部のハードウェア構成について説明する。図１は、本実施の形態の画像処理装置１の主要部のハードウェア構成の一例を示す図である。本実施の形態の画像処理装置１は、コントローラ２、プリンタエンジン３、及びパネル装置４を備える。
【００１３】
コントローラ２は、画像処理装置１の動作を制御する。プリンタエンジン３は、用紙に画像を印刷する画像印刷処理を制御する。パネル装置４は、画像処理装置１とユーザとの間の入出力インタフェースである。例えば、パネル装置４は、ユーザが画像処理装置１の設定を行うための操作パネル、及びユーザに画像処理装置１の状態を表示する表示パネル等である。
【００１４】
コントローラ２は、ＲＯＭ（Ｒｅａｄ  Ｏｎｌｙ  Ｍｅｍｏｒｙ）５、ＲＡＭ（Ｒａｎｄｏｍ  Ａｃｃｅｓｓ  Ｍｅｍｏｒｙ）６、フレームメモリ７、ワークメモリ８、ＨＤＤ（Ｈａｒｄ  Ｄｉｓｋ  Ｄｒｉｖｅ）９、メモリアービタ１０、ＮＶＲＡＭ（Ｎｏｎ  Ｖｏｌａｔｉｌｅ  ＲＡＭ）１１、ＣＰＵ（Ｃｅｎｔｒａｌ  Ｐｒｏｃｅｓｓｉｎｇ  Ｕｎｉｔ）１２、通信Ｉ／Ｆ１３、プリンタエンジンＩ／Ｆ１４、及びパネルＩ／Ｆ１５を備える。
【００１５】
ＲＯＭ５、メモリアービタ１０、ＮＶＲＡＭ１１、ＣＰＵ１２、通信Ｉ／Ｆ１３、プリンタエンジンＩ／Ｆ１４、及びパネルＩ／Ｆ１５は、バス１６に接続されている。
【００１６】
ＲＯＭ５は、画像処理装置１の動作を制御するためのプログラムを記憶する。しかしながら、当該プログラムは、ＲＯＭ５以外の記憶媒体に記憶してもよい。すなわち、本実施の形態の画像処理装置１で実行されるプログラムを、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録したコンピュータ・プログラム・プロダクトとして提供してもよい。
【００１７】
また、本実施の形態の画像処理装置１で実行されるプログラムを、インターネット等のネットワークに接続されたコンピュータ上に格納し、ネットワーク経由でダウンロードさせることにより提供するように構成してもよい。また、本実施の形態の画像処理装置１で実行されるプログラムをインターネット等のネットワーク経由で提供又は配布するように構成してもよい。
【００１８】
ＲＡＭ６、フレームメモリ７、ワークメモリ８、及びＨＤＤ９は、メモリアービタ１０を介して、バス１６に接続されている。メモリアービタ１０は、ＲＡＭ６、フレームメモリ７、ワークメモリ８、及びＨＤＤ９へのアクセスを制御する。ＲＡＭ６、フレームメモリ７、及びワークメモリ８は、プログラムを動作させるために必要な主記憶装置等として利用される。ＨＤＤ９は、画像を記憶するための補助記憶装置等として利用される。ＮＶＲＡＭ１１は、画像処理装置１の印刷条件設定等を保存しておく不揮発性メモリである。
【００１９】
ＣＰＵ１２は、ＲＯＭ５等の記憶媒体に記憶されているプログラムを読み出して実行する。通信Ｉ／Ｆ１３は、後述するプレビュー画像を表示する端末３１と、ネットワークを介して通信するためのインタフェースである。なお、通信Ｉ／Ｆ１３の通信手段は、無線であっても有線であってもよい。また、両方の通信手段を備えていてもよい。プリンタエンジンＩ／Ｆ１４は、コントローラ２とプリンタエンジン３との間で、印刷指示等の命令を送受信するためのインタフェースである。パネルＩ／Ｆ１５は、コントローラ２とパネル装置４との間で、画像処理装置１とユーザとの入出力データを送受信するためのインタフェースである。
【００２０】
次に、本実施の形態の画像処理装置１を制御するためのコントローラ２の機能ブロックの構成について説明する。図２は、本実施の形態の画像処理装置１のコントローラ２の機能ブロックの一例を示すブロック図である。コントローラ２は、システム制御部２２、画像生成部２３、プリンタエンジン制御部２４、パネル制御部２５、及び通信制御部２６を備える。
【００２１】
システム制御部２２は、コントローラ２の制御を行う。画像生成部２３は、システム制御部２２から印刷データを受信する。当該印刷データは、例えば、ＰＤＬ（Ｐａｇｅ  Ｄｅｓｃｒｉｐｔｉｏｎ  Ｌａｎｇｕａｇｅ）により作成されたデータである。なお、ＰＤＬは、印刷画像を生成するための言語（ページ記述言語）である。ＰＤＬの例として、ＰｏｓｔＳｃｒｉｐｔ、ＰＣＬ、及びＲＰＣＳ等が知られている。画像生成部２３は、ＰＤＬデータから、印刷画像を生成する。
【００２２】
プリンタエンジン制御部２４は、プリンタエンジンＩ／Ｆ１４とプリンタエンジン３との間における印刷指示制御等を行う。パネル制御部２５は、パネルＩ／Ｆ１５とパネル装置４との間における入出力制御等を行う。通信制御部２６は、通信Ｉ／Ｆ１３と、プレビュー画像を表示する端末３１との間で、ネットワークを介して送受信するデータの通信を制御する。
【００２３】
上述のシステム制御部２２、画像生成部２３、プリンタエンジン制御部２４、パネル制御部２５、及び通信制御部２６は、実際のハードウェアとしてはＣＰＵ１２が、上述の記憶媒体からプログラムを読み出して実行することにより、上記各部が主記憶装置上にロードされ、主記憶装置上に生成されるようになっている。
【００２４】
なお、上記各部の一部又は全部をプログラムにより実現せず、ＩＣ（Ｉｎｔｅｇｒａｔｅｄ  Ｃｉｒｃｕｉｔ）等のハードウェアにより実現してもよい。
【００２５】
次に、本実施の形態の画像処理装置１により生成されたプレビュー画像を、ユーザに表示する方法について説明する。図３は、本実施の形態の情報処理システム５１の構成の一例を示す図である。情報処理システム５１は、画像処理装置１、及び端末３１を備える。図３の例では、画像処理装置１から、ユーザの端末３１に、無線通信によりプレビュー画像を送信している。また、端末３１を、タッチパネル、及びタッチペン（ポインティングデバイス）を備えた携帯端末としている。当該携帯端末は、例えば、スマートフォン、タブレット型端末、及び携帯電話等である。
【００２６】
なお、ユーザの端末３１は、パーソナルコンピュータ等の情報処理装置であってもよい。また、プレビュー画像の送信手段は、有線通信であってもよい。また、端末３１は、画像処理装置１と同一の装置であってもよい。すなわち、画像処理装置１のパネル装置４にプレビュー画像を表示してもよい。
【００２７】
図４は、本実施の形態の画像処理装置１により作成されたプレビュー画像を表示する端末３１の構成の一例を示す図である。端末３１は、ユーザインタフェース３２、プレビュー管理部３３、画面制御部３４、画面表示部３５、通信制御部３６、及び通信装置３７を備える。
【００２８】
ユーザインタフェース３２は、端末３１のタッチパネル、及び当該タッチパネルを操作するためのタッチペンである。なお、ユーザインタフェース３２のタッチパネルと、画面表示部３５は同じ装置でもよい。プレビュー管理部３３は、端末３１に表示されるプレビュー画像の表示動作や、プレビュー画面に表示されたプレビュー画像の選択操作に基づく印刷要求等の動作を制御する。
【００２９】
画面制御部３４は、プレビュー管理部３３からのプレビュー表示等の要求に従い、画面表示部３５にデータを表示する。画面表示部３５は、プレビュー画像等を表示する。画面表示部３５は、液晶パネル等である。通信制御部３６は、プレビュー管理部３３からのデータ送受信要求に従い、通信装置３７により送受信されるデータの通信を制御する。通信装置３７は、無線や有線、又は両方の通信手段を備える通信インタフェースである。
【００３０】
図２に戻り、端末３１に、画像処理装置１により作成されたプレビュー画像を表示する場合の動作について説明する。
【００３１】
画像処理装置１の通信制御部２６は、端末３１から、印刷データのプレビュー画像の生成要求（印刷データ、プレビュー解像度、及び一の画面内に表示されるプレビュー画像の枚数等を含む。）を受信する。画像処理装置１のシステム制御部２２は、当該生成要求に応じたプレビュー画像の作成を画像生成部２３に依頼する。画像生成部２３は、当該生成要求に基づいて、プレビュー画像を生成する。画像生成部２３は、生成されたプレビュー画像を、システム制御部２２に送信する。システム制御部２２は、当該プレビュー画像を、通信制御部２６を介して端末３１に送信する。端末３１は、受信したプレビュー画像を、ユーザに表示する。
【００３２】
図５は、本実施の形態の画像処理装置１が、低解像度のプレビュー画像を端末３１に表示させた場合の一例を示す図である。この例は、端末３１の画面表示部３５の画面内に表示される縮小プレビュー画像の枚数が、６枚である場合の例である。また、解像度は、１０ｄｐｉ程度である。
【００３３】
また、図５の例では、ユーザが、ボタン４２を押下すると、低解像度プレビュー画像４１が拡大される。すなわち、低解像度プレビュー画像４１の解像度を増加させた高解像度プレビュー画像４４（図６参照）が、拡大プレビュー画像として、画面表示部３５に表示される。
【００３４】
図６は、本実施の形態の画像処理装置１が、高解像度のプレビュー画像を端末３１に表示させた場合の一例を示す図である。この例では、高解像度プレビュー画像４４の解像度を、印刷時と同じ解像度である３００ｄｐｉ程度としている。
【００３５】
また、この例では、ボタン４３が表示されている。ユーザが、ボタン４３を押下すると、高解像度プレビュー画像４４が縮小される。すなわち、端末３１の画面表示部３５の表示が、図６の画面表示部３５の表示状態（拡大プレビュー表示）から、図５の画面表示部３５の表示状態（縮小プレビュー表示）に戻る。
【００３６】
図７は、本実施の形態の画像処理装置１がプレビュー画像を端末３１に表示させる際のシーケンスの一例を示すシーケンス図である。
【００３７】
端末３１のユーザインタフェース３２が、印刷データのプレビューの要求を待ち受ける（ステップＳ１）。端末３１の通信装置３７は、印刷データの低解像度プレビュー画像の生成要求（印刷データ、プレビュー解像度、及び一の画面内に表示されるプレビュー画像の枚数等を含む。）を画像処理装置１に送信する（ステップＳ２）。画像処理装置１の画像生成部２３は、当該生成要求に応じて、低解像度プレビュー画像を生成する（ステップＳ３）。
【００３８】
画像処理装置１の通信制御部２６は、生成された低解像度プレビュー画像を、端末３１に送信する（ステップＳ４）。ここで、画像処理装置１の画像生成部２３は、ステップＳ４で送信された低解像度プレビュー画像に対する高解像度プレビュー画像の生成要求を待たずに、当該低解像度プレビュー画像の高解像度プレビュー画像の生成処理を開始する。また、画像生成部２３は、生成された高解像度プレビュー画像を、ワークメモリ８やＨＤＤ９等に蓄積する（ステップＳ５）。これにより、縮小プレビュー画像の表示中に、拡大されるプレビュー画像が選択されてから、当該拡大プレビュー画像が表示されるまでの応答時間を短縮することができる。
【００３９】
また、画像生成部２３による高解像度プレビュー画像の生成処理は、画像処理装置１の印刷処理においても必要となる。そのため、当該高解像度プレビュー画像の生成処理は、画像処理装置１による印刷処理を途中まで行ったものと捉えることができる。画像生成部２３は、ステップＳ５において、高解像度プレビュー画像の他に、印刷処理の再開に必要となる情報も同時にワークメモリ８やＨＤＤ９等に記憶してもよい。
【００４０】
これにより、画像処理装置１のコントローラ２は、端末３１から印刷要求を受信した際に、ワークメモリ８やＨＤＤ９等に記憶されていた高解像度プレビュー画像と、印刷処理の再開に必要となる情報を利用して印刷処理を行うことができる。これにより、画像処理装置１のコントローラ２は、はじめから印刷処理を行う場合に比べて、高速に印刷処理を完了させることができる。
【００４１】
なお、印刷処理の再開に必要となる情報の例としては、プレビュー画像の色情報にＲＧＢ各８ｂｉｔが使用され、印刷画像の色情報にＫＣＭＹ各２ｂｉｔが使用されている場合は、色処理用のＢＧ／ＵＣＲパラメータ、カラーマッチング情報、ガンマ、及びディザ情報、並びに拡大プレビュー画像の各ピクセルの色処理属性情報が挙げられる。これらの情報により、属性情報毎に色処理パラメータを切り替えて、画像を印刷する事ができる。
【００４２】
なお、ステップＳ５で生成された高解像度プレビュー画像を、印刷処理においても流用する場合は、当該高解像度プレビュー画像の解像度を、印刷画像と同じ解像度にしておく。これにより、拡大プレビュー画像の解像度の方が、印刷画像の解像度よりも小さくなる場合がある。この場合は、システム制御部２２が、当該高解像度プレビュー画像を、拡大プレビュー画像の解像度に縮小（サンプリング）しながら、端末３１に送信する。
【００４３】
端末３１の通信装置３７が、ステップＳ４で送信された低解像度プレビュー画像を受信し、画面制御部３４が、当該低解像度プレビュー画像を、画面表示部３５に表示する（ステップＳ６）。ユーザにより、端末３１の画面表示部３５に表示された低解像度プレビュー画像が確認される（ステップＳ７）。ユーザにより、低解像度プレビュー画像の拡大表示の要求が、端末３１に送信される（ステップＳ８）。
【００４４】
端末３１の通信装置３７は、当該低解像度プレビュー画像の拡大表示の要求に応じて、低解像度プレビュー画像の解像度を増加させた高解像度プレビュー画像の生成要求を送信する（ステップＳ９）。
【００４５】
画像処理装置１の通信制御部２６は、ステップＳ５による高解像度プレビュー画像の生成処理により、当該生成要求の高解像度プレビュー画像の生成が終了している場合は、即座に、当該高解像度プレビュー画像を、端末３１に送信する。また、当該生成要求の高解像度プレビュー画像の生成が終了していない場合は、生成処理の終了後に、当該高解像度プレビュー画像を、端末３１に送信する（ステップＳ１０）。
【００４６】
端末３１の通信装置３７が、ステップＳ１０で送信された高解像度プレビュー画像を受信し、画面制御部３４が、当該高解像度プレビュー画像を、画面表示部３５に表示する（ステップＳ１１）。
【００４７】
次に、本実施の形態の画像処理装置１のプレビュー画像の生成処理と、印刷処理について説明する。図８は、本実施の形態の画像処理装置１のプレビュー画像表示方法、及び画像印刷方法の一例を説明するためのフローチャートである。
【００４８】
画像処理装置１のシステム制御部２２は、端末３１から低解像度プレビュー画像の生成要求を、受信したか否かを判定する（ステップＳ２１）。低解像度プレビュー画像の生成要求を受信した場合（ステップＳ２１、Ｙｅｓ）は、システム制御部２２は、当該低解像度プレビュー画像の生成を、画像生成部２３に依頼する。また、システム制御部２２は、当該低解像度プレビュー画像の解像度を増加させた高解像度プレビュー画像の生成を、画像生成部２３に依頼する。
【００４９】
すなわち、システム制御部２２は、高解像度プレビュー画像の生成要求を待たずに、低解像度プレビュー画像の生成要求時に、高解像度プレビュー画像の生成も画像生成部２３に依頼する。画像生成部２３は、当該低解像度プレビュー画像、及び当該高解像度プレビュー画像を生成する（ステップＳ２２）。
【００５０】
なお、高解像度プレビュー画像の生成は、低解像度プレビュー画像の生成が終了してから行ってもよいし、低解像度プレビュー画像の生成と同時に行ってもよい。
【００５１】
低解像度プレビュー画像の生成要求を受信していない場合（ステップＳ２１、Ｎｏ）は、システム制御部２２は、印刷要求を受信したときに、通常の印刷処理を開始する（ステップＳ２８）。
【００５２】
端末３１の画面制御部３４は、ステップＳ２２で生成された低解像度プレビュー画像を、画面表示部３５に表示する（ステップＳ２３）。端末３１のプレビュー管理部３３は、ユーザインタフェース３２から拡大プレビューの要求を受信したか否かを判定する（ステップＳ２４）。拡大プレビューの要求を受信した場合（ステップＳ２４、Ｙｅｓ）は、ステップＳ２５に進む。拡大プレビューの要求を受信しない場合（ステップＳ２４、Ｎｏ）は、ステップＳ２９に進む。
【００５３】
画像処理装置１のシステム制御部２２は、高解像度プレビュー画像の生成が終了しているか否かを判定する（ステップＳ２５）。高解像度プレビュー画像の生成が終了している場合（ステップＳ２５、Ｙｅｓ）は、ステップＳ２７に進む。
【００５４】
高解像度プレビュー画像の生成が終了していない場合（ステップＳ２５、Ｎｏ）は、システム制御部２２は、画像生成部２３が高解像度プレビュー画像を生成するまで待つ（ステップＳ２６）。
【００５５】
システム制御部２２は、通信制御部２６を介して、当該高解像度プレビュー画像を端末３１に送信し、端末３１の画面制御部３４は、当該高解像度プレビュー画像を、画面表示部３５に表示する（ステップＳ２７）。
【００５６】
システム制御部２２は、端末３１から印刷要求を受信したか否かを判定する（ステップＳ２９）。印刷要求を受信した場合（ステップＳ２９、Ｙｅｓ）は、ステップＳ２２による高解像度プレビュー画像生成処理の結果を利用した印刷処理を行う（ステップＳ３０）。印刷要求を受信しない場合（ステップＳ２９、Ｎｏ）は、処理を終了する。
【００５７】
本実施の形態の画像処理装置１によれば、縮小プレビュー画像の表示中に、拡大されるプレビュー画像が選択されてから、当該拡大プレビュー画像が表示されるまでの応答時間を短縮することができる。
【００５８】
また、本実施の形態の画像処理装置１によれば、プレビュー表示時に、コントローラ２が、高解像度プレビュー画像の生成要求を受信しなくても、印刷画像の解像度と同じ高解像度プレビュー画像を生成することにより、印刷終了までの応答時間を短縮することができる。
【符号の説明】
【００５９】
１  画像処理装置
２  コントローラ
３  プリンタエンジン
４  パネル装置
５  ＲＯＭ
６  ＲＡＭ
７  フレームメモリ
８  ワークメモリ
９  ＨＤＤ
１０  メモリアービタ
１１  ＮＶＲＡＭ
１２  ＣＰＵ
１３  通信Ｉ／Ｆ
１４  プリンタエンジンＩ／Ｆ
１５  パネルＩ／Ｆ
１６  バス
２２  システム制御部
２３  画像生成部
２４  プリンタエンジン制御部
２５  パネル制御部
２６  通信制御部
３１  端末
３２  ユーザインタフェース
３３  プレビュー管理部
３４  画面制御部
３５  画面表示部
３６  通信制御部
３７  通信装置
４１  低解像度プレビュー画像
４２  ボタン
４３  ボタン
４４  高解像度プレビュー画像
５１  情報処理システム
【先行技術文献】
【特許文献】
【００６０】
【特許文献１】特許第３８３３１０７号公報
【図１】
2014079906.tif 000003
【図２】
2014079906.tif 000004
【図３】
2014079906.tif 000005
【図４】
2014079906.tif 000006
【図５】
2014079906.tif 000007
【図６】
2014079906.tif 000008
【図７】
2014079906.tif 000009
【図８】
2014079906.tif 000010